(57)【要約】【課題】リアリティーに富み、魚の興味をより引き立てることができるルアーの提供。【解決手段】ルアー１は、前本体３と後本体４とに分離可能なルアー本体２を備えている。ルアー本体２の内部にはベイトフィッシュを収容可能な収容室５が形成されている。ルアー本体２は収容室５を外部から透視可能なものであり、例えば可撓性および透光性のある合成ゴムで形成されている。前本体３の頭部には吸入孔１０が設けられており、後本体４の尾部には排水孔１１，１２が設けられている。【選択図】図１
2007209228.tif 000002
【特許請求の範囲】
【請求項１】
ベイトを収容するための収容室が内部に形成され、該収容室にベイトを出し入れ可能なルアー本体を有し、
上記ルアー本体が、上記収容室を外部から透視可能に構成されているルアー。
【請求項２】
上記ルアー本体が、透明あるいは半透明の合成樹脂組成物からなるものである請求項１に記載のルアー。
【請求項３】
上記ルアー本体に、上記収容室と外部とを連通する第１連通孔が設けられている請求項１又は２に記載のルアー。
【請求項４】
上記第１連通孔は、釣糸が連結されるルアー本体の頭部と、ルアー本体の尾部とに設けられている請求項３に記載のルアー。
【請求項５】
ルアー本体の頭部から尾部に亘る胴部に、上記収容室と外部とを連通する第２連通孔が設けられている請求項１から４のいずれかに記載のルアー。
【請求項６】
上記胴部に、複数の上記第２連通孔が設けられている請求項５に記載のルアー。
【請求項７】
上記第２連通孔は、ベイトとして上記収容室に収容される環形動物が出入り可能な大きさである請求項５又は６に記載のルアー。
【請求項８】
上記ルアー本体が、上記収容室に収容されたベイトの動きに応じて変形する可撓性部材からなる請求項１から７のいずれかに記載のルアー。
【請求項９】
上記ルアー本体の外形形状が、ベイトとして上記収容室に収容される魚に模した形態に形成されている請求項１から８のいずれかに記載のルアー。
【発明の詳細な説明】
【技術分野】
【０００１】
本発明は、魚釣りの際に疑似餌として使用されるルアーに関し、特に、ベイトとなる魚や虫などの姿態がリアルに表現されたルアーに関するものである。
【背景技術】
【０００２】
魚釣りにおいては、ルアーと称される疑似餌を用いて対象魚を釣る所謂ルアー釣りが知られている。ルアー釣りでは、釣人は、ルアーをキャストし、ベイトである魚や虫の動きに似るようにルアーをリトリーブする。これによって、対象魚のバイトを誘う。ルアー釣りに使用されるルアーには様々な形態のものが開発されている。例えば、魚の興味を引き立てるべく、魚や虫の姿態や動きに近似させたルアーが公知である（特許文献１及び２参照）。
【０００３】
特許文献１に開示されたルアーは、ルアー本体の外形が魚に似せて形成されており、ルアー本体の周面には魚の目や鰭、鱗などの模様が捕食魚に模して付されている。このように鰭や鱗をルアー本体に描くことで、ルアーのリアリティーが高められ、魚の興味を引き立てることができる。
【０００４】
【特許文献１】特開２００５−３４８６７３号公報
【特許文献２】特開２００４−３５７５９７号公報
【発明の開示】
【発明が解決しようとする課題】
【０００５】
しかしながら、リアリティの高いルアーといえども、所詮ルアーはベイトを模して作られた模型である。そのため、ルアーをベイトの姿態に近づけることはできてもベイトと同一の姿態に模することは不可能である。従って、本物のベイトとルアーとを比較すれば、対象魚の興味は本物のベイトに注がれることはもちろんである。
【０００６】
本発明は上記事情に鑑みてなされたものであり、その目的とするところは、リアリティーに富み、魚の興味をより引き立てることができるルアーを提供することにある。
【課題を解決するための手段】
【０００７】
(1)上記目的が達成されるため、本発明に係るルアーは、ベイトを収容するための収容室が内部に形成され、該収容室にベイトを出し入れ可能なルアー本体を有し、上記ルアー本体が、上記収容室を外部から透視可能に構成されている。
【０００８】
釣人は、ルアーをキャストする前に魚や虫などのベイトを収容室に収容する。このルアーがキャストされリトリーブされると、ルアー本体は透視可能に構成されているため、水中を泳動するルアーはあたかも本物のベイトが泳動しているように対象魚によって視認される。また、対象魚が本発明のルアーをバイトしても、ベイトは損傷されないため、餌釣りのようにベイトを頻繁に交換することを要しない。
【０００９】
(2)ここで、上記ルアー本体が、透明あるいは半透明の合成樹脂組成物からなるものであることが好ましい。加工性に富む合成樹脂組成物でルアー本体を成形することにより、本発明のルアーを容易に実現することができる。
【００１０】
(3)また、上記ルアー本体に、上記収容室と外部とを連通する第１連通孔が設けられていてもよい。
【００１１】
実釣においては、ルアーは水中に沈められた状態でリトリーブされる。ルアーのリトリーブ中は、上記第１連通孔から水が出入りするため、収容室に収容されたベイトの体力の低下を防止することができる。
【００１２】
(4)この場合、上記第１連通孔は、釣糸が連結されるルアー本体の頭部と、ルアー本体の尾部とに設けられていることが好ましい。ルアーのリトリーブ中においては、頭部の連通孔から水が取り込まれ、取り込まれた水は上記収容室を通過して上記尾部から排出される。これによって、収容室に新鮮な水が効率よく送り込まれる。従って、収容室に収容されたベイトの体力が長時間にわたって維持される。
【００１３】
(5)また、ルアー本体の頭部から尾部に亘る胴部に、上記収容室と外部とを連通する第２連通孔が設けられているものであることが望ましい。これにより、収容室に収容されたベイトの臭いをルアー全体から水中に拡散させることができ、対象魚の興味を一層引きつけることができる。
【００１４】
(6)この場合、上記胴部に、複数の上記第２連通孔が設けられていれば好適である。
【００１５】
(7)また、上記第２連通孔は、ベイトとして上記収容室に収容される環形動物が出入り可能な大きさであることが考えられる。ゴカイやイソメなどの環形動物が収容室から外部にはみ出した状態でルアーがリトリーブされることで、対象魚のバイトをより効果的に誘うことができる。
【００１６】
(8)本発明のルアーにおいて、上記ルアー本体が、上記収容室に収容されたベイトの動きに応じて変形する可撓性部材からなるものであることが考えられる。
【００１７】
ルアー釣りの釣果は、リトリーブを工夫することで如何にしてベイトの動きをルアーでリアルに演出するかによって大きく左右される。しかしながら、本発明によれば、ベイトのリアルな動きがルアー本体を介して振動となって水中を伝わり、対象魚に伝達される。従って、リトリーブをさほど工夫しなくてもベイトのリアルな動きを演出することができるため、リトリーブの不得意な釣人でも大きな釣果を獲得することができる。また、ベイトの動きが規制されないため、ベイトの体力低下が防止される。
【００１８】
(9)また、上記ルアー本体の外形形状が、ベイトとして上記収容室に収容される魚に模した形態に形成されているものであれば、対象魚の興味がより引き立つため好ましい。
【発明の効果】
【００１９】
本発明によれば、ルアーのリトリーブ中において、ルアー本体の内部の収容室に収容されたベイトが対象魚によって外部から視認可能であるため、ルアーのリアリティを本物のベイトと同レベルまで引き上げることができる。これにより、対象魚の興味をより一層引き立てることが可能となる。
【発明を実施するための最良の形態】
【００２０】
〔第１の実施形態〕
以下、適宜図面が参照されつつ、好ましい実施形態に基づいて本発明が詳細に説明される。ここに、図１は本発明の第１の実施形態に係るルアー１の正面図、図２はルアー１の平面図、図３は図２におけるIII−III線の断面図、図４はルアー本体２が前本体３と後本体４とに分離された状態を示す断面図、図５はリトリーブされるルアー１の泳動状態を示す模式図である。なお、図３及び図４においてフック１３，１４は省略されている。
【００２１】
図が示すルアー１は、ルアー釣りに使用されるものであり、ルアー本体２を備えてなる。ルアー本体２は互いに連結可能な前本体３と後本体４とにより構成されている。なお、前本体３と後本体４との連結機構については後述される。
【００２２】
前本体３及び後本体４は、いずれも、ポリカーボネート樹脂（ＰＣ）やアクリル樹脂（メチルメタアクリレート）、合成ゴムなどの透明な合成樹脂組成物から構成される。前本体３及び後本体４の材質は透光性を有するものであれば合成樹脂組成物に限られることはないが、加工性に富む合成樹脂組成物を使用することで製造原価を抑えることができ好適である。なお、本実施形態では、透光性と可撓性を有する合成ゴム（可撓性部材に相当）によって前本体３及び後本体４が形成されているものとする。
【００２３】
前本体３及び後本体４の表面ないし外形形状は対象魚の餌となる魚（以下「ベイトフィッシュ」と称される）１９（図５参照）の姿態に似せて作られている。即ち、前本体３の外形形状はベイトフィッシュ１９の頭部から尻部付近までの姿態と概ね同じ形態に形成されており、後本体４の外形形状はベイトフィッシ１９の尻部から尾部までの姿態と概ね同じ形態に形成されている。従って、前本体３と後本体４とが連結されることによって、ルアー本体２の外観形状はベイトフィッシュ１９に似る。なお、必ずしも、ルアー本体２の外観形状をベイトフィッシュ１９に似せて形成する必要はないが、ベイトフィッシュ１９に模した形態に形成されておれば、ルアー１に対する対象魚の興味がより引き立つため好ましい。。
【００２４】
前本体３及び後本体４は、いずれも、中空状に形成されている。前本体３と後本体４とが連結された状態でルアー本体２の内部は空洞となる。この空洞によって、図５が示す如くベイトフィッシュ１９が収容される収容室５が構成される。
【００２５】
従来のルアーには、ルアー本体の表面にベイトフィッシュの姿態を模した模様が付されているが、本実施形態においては、ルアー本体２の表面から収容室５の壁面に至るまでには、光の透過を遮るものは設けられておらず、もちろん、光の透過性を低下させるものも設けられていない。即ち、ルアー本体２の表面や収容室５の壁面には有色塗料は一切塗布されておらず、また、上記表面や上記壁面には収容室５の透視を妨げる加工は施されていない。従って、収容室５は外部から透視可能に構成されている。
【００２６】
ルアー本体２には、ラインアイ６、フックアイ７，８、リップ９と、吸水孔１０、排水孔１１，１２が設けられている。ここに、吸水口１０および排水孔１１，１２が本発明の第１連通孔に相当する。
【００２７】
ラインアイ６およびフックアイ７，８は、例えばステンレス鋼などの耐腐食性の強い金属からなり、リング状に形成されている。ラインアイ６は前本体３の前方の頭部１５に設けられている。また、フックアイ７は前本体３の下部に、フックアイ８は後本体４の下部に設けられている。ラインアイ６には、図５が示すようにライン１７（釣糸）が連結される。このラインアイ６に連結されたラインがロッドを介して釣人により操作されることによって、ルアー１は釣人の思い描く動きでリトリーブされる。また、フックアイ７，８にはフック（釣り針）１３，１４が取り付けられている。
【００２８】
リップ９は前本体３と一体に形成されている。リップ９は、前本体３のフレーム３３の頭部１５の下方から前方へ突出するように設けられている。リップ９は、水中におけるルアー１の姿勢を制御する役目を果たすものである。具体的には、リップ９は、ルアー１がリトリーブされた場合にルアー１を水中に潜らせ、あるいは水中でルアー１を振動させる。リップ９の形状は、ルアー１の取り得る姿勢によって様々に設計変更され得る。なお、本実施形態ではリップ８を有するルアー１が例示されるが、リップ８は任意の構成である。従って、リップ８を有しないルアーにも本発明は適用可能である。
【００２９】
吸水孔１０は、前本体３のフレーム３３の頭部１５に設けられている。この吸水孔１０は、図２が示すように、中心線１８を基準にして左右対称に一つずつ対をなして設けられている。従って、頭部１５には２つの孔が設けられている。この吸水孔１０は、フレーム３３を貫通して収容室５に連通している。即ち、収容室５は吸水孔１０を介して外部に連通している。ルアー１が水中でリトリーブされることで頭部１５に設けられた吸水孔１０に水が導かれ（図２の白抜き矢印４０参照）、収容室５へ流入する。本実施形態では左右対称の一対の吸水孔１０が例示されるが、もちろん、吸水孔の数やその形状は適宜変更することができる。また、吸水孔１０の位置は頭部１５の上部に限定されない。要するに、収容室５に水を取り込むための孔が頭部１５に設けられていればよい。
【００３０】
排水孔１１，１２は、後本体４のフレーム３４に設けられている。より詳細には、フレーム３４の後方端に位置する尾部１６の近傍に排水孔１１，１２が設けられている。この排水孔１１，１２も、図２が示すように、中心線１８を基準にして左右対称となるように対をなして後本体４に設けられている。従って、後本体４には４つの孔が設けられている。排水孔１１，１２は、フレーム３４を貫通して収容室５に連通している。ルアー１が水中でリトリーブされた際に吸入孔１０から収容室５に取り込まれた水は、収容室５を通過して排水孔１１，１２に導かれる。そして、収容室５内の水が排水孔１１，１２から外部に排水される（図２の白抜き矢印４１参照）。本実施形態では、収容室５の水を排水するための孔が後本体４に設けられていれば足り、後本体４における排水孔１１，１２の位置や数は適宜変更可能である。なお、図１乃至図４が示すように、後本体４は、ベイトフィッシュ１９と同様に、後方へ行くに従って先細り形状に形成されているため、収容室５の壁面と水との間で生じる粘性抵抗を考慮すると、後本体４の最尾部近傍に排水孔を設けることが好ましい。
【００３１】
本実施形態では、上記排水孔１１，１２の開口面積の総計は上記吸水孔１０の開口面積の総計よりも大きくなるように各孔が形成されている。これにより、吸水孔１０から収容室５に流入した水は抵抗なく排水孔１１，１２から排水される。従って、ルアー１をリトリーブする際の操作性を損なわずに、所望する泳動を的確にルアー１に伝えることができる。
【００３２】
図３及び図４が示すように、ルアー本体２は、収容室５にベイトフィッシュ１９（図５参照）を収容させるために、上述したように、前本体３と後本体４とに分割されている。従って、収容室５は、前本体３のフレーム３３によって形成される前側収容室５ａと、後本体４のフレーム３４によって形成される後側収容室５ｂとに分けられる。前側収容室５ａの後本体４に連結される側、即ち、前側収容室５ａの後方側は大きく開口されており、同様に、後側収容室５ｂの前本体３に連結される側、即ち、後側収容室５ｂの前方側も大きく開口されている。前側収容室５ａの開口にベイトフィッシュ１９が頭から挿入されと、ベイトフィッシュ１９の頭から尻部までが前側収容室５ａに収容され、その状態で前本体３と後本体４とが連結されることで、収容室５にベイトフィッシュ１９が収容される。
【００３３】
以下、前本体３と後本体４との連結機構及び連結方法について詳述する。図３及び図４が示すように、後本体４には、先端が鉤状に形成された連結具２３が設けられている。この連結具２３は後本体４と一体に形成されており、フレーム３４の上部及び下部の２箇所にそれぞれ設けられている。上部側の連結具２３ａは、フレーム３４の上部内面から後側収容室５ｂの外側前方に延設されたステー２４ａと、該ステー２４ａの先端に上向き鉤状に形成された鉤部２２ａとを備えてなる。また、下部側の連結具２３ｂは、フレーム３４の下部内面から後側収容室５ｂの外側前方に延設されたステー２４ｂと、該ステー２４ｂの先端に下向き鉤状に形成された鉤部２２ｂとを備えてなる。なお、上記連結具２３は後本体４と別部品として構成されていてもよい。もちろん、上記連結具２３の配設数や位置はルアー本体２の形状や大きさに対応して適宜変更することが可能である。
【００３４】
一方、前本体３を形成するフレーム３３には、上記連結具２３ａ，２３ｂの鉤部２２ａ，２２ｂが係合される係合孔２５が設けられている。この係合孔２５は、上記連結具２３ａ，２３ｂに対応して、フレーム３３の上部及び下部の２箇所に設けられている。上部側の係合孔２５ａ及び下部側の係合孔２５ｂはそれぞれ、前本体３の後方側近傍に設けられている。これら係合孔２５ａ，２５ｂには、上記連結具２３の鉤部２２ａ，２２ｂが係合される。
【００３５】
釣人が連結具２３ａ，２３ｂのステー２４ａ，２４ｂを上下方向から押さえるようにして摘むと、ステー２４ａ，２４ｂが弾性変形して、互いに近づく方向に撓まされる。その状態で連結具２３ａ，２３ｂを前側収容室５ａに挿入させると、フレーム３３の内壁を鉤部２２ａ，２２ｂが摺動しつつ前方へスライド移動される。更に挿入されると、鉤部２２ａ，２２ｂが係合孔２５に到達し、撓まされていたステー２４ａ，２４ｂが復元することで、鉤部２２ａ，２２ｂが係合孔２５に係合される。また、鉤部２２ａ，２２ｂが係合孔２５に係合したときに前本体３のフレーム３３の後方端と後本体４のフレーム３４の前方端とが当接される。これにより、前本体３と後本体４とが連結される。本実施形態では上述した連結機構が採用されるため、ルアー本体２の内部にベイトフィッシュ１９を収容し得る収容室５を確保することができる。
【００３６】
なお、前本体３と後本体４との連結機構は上述した機構に限定されない。例えば、図６が示すように、前本体３のフレーム３３の内側の後方端に雌ネジ２７を加工し、後本体４のフレーム３４の前方端に上記雌ネジ２７と螺合する雄ネジ２８を加工し、雄ネジ２８を雌ネジ２７にねじ込むことにより前本体３と後本体４とを螺着する機構を採用してもよい。ここに、図６（ａ）は前本体３と後本体４とが螺着された状態を示し、（ｂ）は前本体３と後本体４と分離された状態を示す。
【００３７】
上述の如くルアー１が構成されているため、収容室５にベイトフィッシュ１９を収容したルアー１がキャストされ、釣人によってリトリーブされると、ルアー本体２は透視可能に構成されているため、水中を泳動するルアー１はあたかも本物のベイトが泳動しているように対象魚によって視認される。これにより、ルアー１のリアリティを本物のベイトと同レベルまで引き上げることができ、ルアー１に対する対象魚の興味をより一層引き立てることが可能となる。また、対象魚がルアー１をバイトしても、ベイトは損傷されないため、餌釣りのように収容室５のベイトを頻繁に交換することを要しない。
【００３８】
また、ルアー本体２に吸水孔１０や排水孔１１，１２が設けられているため、生きたベイトフィッシュを収容室５に収容した場合でも、ルアー１のリトリーブ中は、収容室５に常に新鮮な水が出入りするため、収容室５内のベイトフィッシュの体力を維持することができる。
【００３９】
また、上述したように前本体３及び後本体４は透光性および可撓性を有する合成ゴムによって構成されているため、収容室５に収容されたベイトフィッシュの動きに応じて前本体３及び後本体４は変形する。従って、ベイフィッシュのリアルな動きがルアー本体２を介して振動となった水中を伝わり対象魚に伝達される。これにより、リトリーブを工夫してリアルな動きを演出しなくても、対象魚の興味をルアーに引きつけることができる。また、ベイトフィッシュの動きが規制されないため、ベイトフィッシュの体力低下が防止され得る。
【００４０】
〔第２の実施形態〕
ここでは、上述した第１の実施形態の連結機構の変形例について、図７及び図８を用いて説明される。ここに、図７は本発明の第２の実施形態に係るルアー５１の断面図であり、図８はルアー５１の平面図である。なお、第１の実施形態と同じ構成要素には同符号を付すことでその説明は省略している。
【００４１】
上述した第１の実施形態では、図３が示すように、前本体３と後本体４とが連結された状態において前本体３の後方端と後本体４の前方端とが当接する例について示されているが、本実施形態では、図７が示すように、前本体３と後本体４とが連結された状態において、前本体３と後本体４との間に隙間５６が形成されている。具体的には、ステー２４ａ，２４ｂよりも長く寸法設計されたステー５４ａ，５４ｂを有する連結具５３ａ，５３ｂが後本体４に設けられ、この連結具５３ａ，５３ｂによって前本体３と後本体４とが連結される。これにより上記隙間５６が確保される。このように構成されたルアー５１では、ルアー５１が水中でリトリーブされた際に吸入孔１０から収容室５に取り込まれた水は、収容室５を通過して隙間５６から外部に排水される（図８の白抜き矢印４２参照）。従って、図７が示すように、後本体４に排水孔１１，１２を設ける必要がなくなり、加工工程が減じられ、製造コストが低減する。
【００４２】
また、図７及び図８が示すように、鉤部５２は円柱形状に形成されており、前本体３のフレーム３３には円環形状の係合孔５５が形成されている。この係合孔５５に鉤部５２が係合されることで、前本体３と後本体４とが連結される。また、前本体３と後本体４との連結状態において、鉤部５２の曲率面と係合孔５５の内面とが円滑に摺動可能であるため、後本体４は左右方向（図８において紙面上下方向）へ回動可能に支持される。これにより、上記隙間５６が確保されると共に、前本体３と後本体４とが相対的に回動可能となる。従って、釣人がルアー５１をリトリーブすると、後本体４が左右に振られ、リアルな泳動を演出することが可能となる。
【００４３】
〔第３の実施形態〕
上述した各実施形態では、前本体３の頭部１５及び後本体４の尾部１６にのみ孔（吸入孔１０、排水孔１１，１２）が設けられた例について示されているが、この実施形態では、図９及び図１０が示すように、ルアー本体２の頭部１５から尾部１６に亘る胴部６２に複数の孔６３（第２連通孔に相当）が設けられたルアー６１として構成されている。ここに、図９は本発明の第３の実施形態に係るルアー６１の正面図であり、図１０はルアー６１の平面図である。なお、第１の実施形態と同じ構成要素には同符号を付すことでその説明は省略している。
【００４４】
孔６３は、前記した吸入孔１０と同様に、フレーム３３を貫通して収容室５に連通している。即ち、収容室５は孔６３を介して外部に連通している。図９及び図１０が示すように、孔６３は胴部６２の略全域に所定間隔を隔てて均等に形成されている。胴部６２に形成された各々の孔６３は、ゴカイやイソメなどの環形動物が出入り可能な大きさに寸法設計されている。具体的には、孔６３の径は５ｍｍから６ｍｍ程度に形成されている。このようなルアー６１の収容室５に対象魚のベイト（餌）となる環形動物を収容すると、環形動物は孔６３から逃げ出そうとして孔６３を潜り、環形動物の一部が収容室５から外部に露出する。従って、収容室５に環形動物を収容したルアー６１をルアー釣りに使用すると、ルアー６１のリトリーブ中において環形動物の一部が収容室５から外部に露出するため、対象魚の興味を効果的にルアー６１に引きつけることができる。
【００４５】
なお、上述した各実施形態は本発明の一例にすぎず、本発明の要旨を変更しない範囲で、実施形態を適宜変更することができる。
【産業上の利用可能性】
【００４６】
本発明は、ルアー釣りに使用されるルアーに好適に利用され得る。
【図面の簡単な説明】
【００４７】
【図１】本発明の第１の実施形態に係るルアー１の正面図。
【図２】本発明の第１の実施形態に係るルアー１の平面図。
【図３】図２におけるIII−III線の断面図。
【図４】ルアー本体２が前本体３と後本体４とに分離された状態を示す断面図。
【図５】リトリーブされるルアー１の泳動状態を示す模式図。
【図６】前本体３と後本体４との連結機構の変形例を示す断面図。
【図７】本発明の第２の実施形態に係るルアー５１の断面図。
【図８】本発明の第２の実施形態に係るルアー５１の平面図。
【図９】本発明の第３の実施形態に係るルアー６１の正面図。
【図１０】本発明の第３の実施形態に係るルアー６１の平面図。
【符号の説明】
【００４８】
１・・・ルアー
２・・・ルアー本体
３・・・前本体
４・・・後本体
５・・・収容室
１０・・・吸入孔（第１連通孔）
１１・・・排水孔（第１連通孔）
１２・・・排水孔（第１連通孔）
１５・・・頭部
１６・・・尾部
２２・・・鉤部
２３・・・連結具
２４・・・ステー
２５・・・係合孔
２７・・・雌ネジ
２８・・・雄ネジ
３３・・・フレーム
３４・・・フレーム
５１・・・ルアー
５２・・・鉤部
５３・・・連結具
５４・・・ステー
５５・・・係合孔
５６・・・隙間
６１・・・ルアー
６２・・・胴部
６３・・・孔（第２連通孔）
【図１】
2007209228.tif 000003
【図２】
2007209228.tif 000004
【図３】
2007209228.tif 000005
【図４】
2007209228.tif 000006
【図５】
2007209228.tif 000007
【図６】
2007209228.tif 000008
【図７】
2007209228.tif 000009
【図８】
2007209228.tif 000010
【図９】
2007209228.tif 000011
【図１０】
2007209228.tif 000012